(57)【特許請求の範囲】
【請求項１】
１対のボビン収納部を備えたリボンカセットと給紙トレイとを一体に形成した給紙トレイ一体型リボンカセットであって、  相互に連結された１対のボビン収納部のいずれか一方と前記給紙トレイとが、両者の各端部同士において両者の大部分が離間している使用時の拡開状態と両者が接合する搬送時の閉止状態との間で開閉可能に枢着されており、 前記一方のボビン収納部と前記給紙トレイとが閉止状態にあるとき両者のうちの一方に形成されている被係止部材が他方に形成されている係止部材に係止されて閉止状態が保持されるようになっており、 閉止状態にある前記一方のボビン収納部と前記給紙トレイにおける接合部位の縁部には、前記閉止状態を拡開状態にするためにプリンタに設けられた突起の尖端部が嵌合されるように相互に対向する溝部がそれぞれ形成されていることを特徴とする給紙トレイ一体型リボンカセット。
【請求項２】
請求項１に記載の給紙トレイ一体型リボンカセットが装着されるプリンタ本体を有するプリンタであって、  前記プリンタ本体の一側壁には、  前記１対のボビン収納部と前記給紙トレイとが拡開状態において挿入されうる開口と、  閉止状態にある前記一方のボビン収納部と前記給紙トレイの前記各溝部に嵌合される尖端部を有し、前記被係止部材を前記係止部材から解離して前記一方のボビン収納部と前記給紙トレイを拡開状態に移行させる突起と  が形成されていることを特徴とするプリンタ。
【請求項３】
前記突起は、拡開しつつある前記ボビン収納部および前記給紙トレイの前記溝部への嵌合を継続するように給紙トレイ一体型リボンカセットの装着方向に対し直交する方向において前記ボビン収納部または前記給紙トレイの回動中心を中心とする円弧状に彎曲されていることを特徴とする請求項２に記載のプリンタ。
【請求項４】
前記突起は他のプリンタ本体における樹脂材料とともにアウトサート成形により形成されていることを特徴とする請求項２または請求項３に記載のプリンタ。
【発明の詳細な説明】
【技術分野】
【０００１】  本発明は、給紙トレイと１対のリボンカセットとを一体にした給紙トレイ一体型リボンカセットならびにこの給紙トレイ一体型リボンカセットを使用したプリンタに係り、特に、コンパクトな構成とした給紙トレイ一体型リボンカセット、ならびに、この給紙トレイ一体型リボンカセットを使用しやすくしたプリンタに関する。
【背景技術】
【０００２】
従来から各種機器の出力機器として種々のプリンタが使用されていた。このプリンタとしては、記録方式の相違により、サーマル方式、インクジェット方式、ジアゾ方式などの種類があり、このうち、サーマル方式のプリンタは、整列配置された多数の発熱素子が形成されたサーマルヘッドを有し、記録情報に応じて特定の発熱素子に選択的に通電して通電された発熱素子を発熱し、感熱記録紙を発色させるか、あるいは、インクリボンあるいはインクシートのインクを部分的に用紙に転写して記録を行なうようになっている。
【０００３】
前述したサーマル方式のプリンタのうちインクリボンを使用するものは、このインクリボンを収納するリボンカセットを有している。一方、用紙としてカット紙を使用するプリンタにおいては、一般に、複数枚のカット紙を重積収納する給紙トレイを使用するようにしている。
【０００４】  そして、リボンカセットと給紙トレイとが別体であると、取扱いが煩雑になるということに鑑みて、リボンカセットと給紙トレイとを一体化した給紙トレイ一体型リボンカセットが従来から知られている（例えば特許文献１参照）。【０００５】
【特許文献１】特開２００５−３３５２９２号公報
【発明の開示】
【発明が解決しようとする課題】
【０００６】  しかしながら、前述した特許文献１に記載の給紙トレイ一体型リボンカセットは、給紙トレイとリボンカセットとが相対移動できないように一体化されていたため、サーマルヘッドの一端部を支持することができず、サーマルヘッドの支持が他端部のみの片持ち構造になってしまい、剛性や精度の面で問題があったため、剛性や精度の面で性能を満足するための構造を必要としていた。【０００７】
また、サーマルヘッドを片持ち構造とならない構成にするには、給紙トレイとリボンカセットとをＶ字状に接続し、これらの給紙トレイとリボンカセットとの間に、サーマルヘッドを位置させることができるような空間部が必要となり、流通経路における搬送時にかさばっており、無駄な空間を必要としていた。
【０００８】  そこで、本発明は、流通経路における搬送時にコンパクトな構成とされ、しかもプリンタにおける使用時には、使用に適した良好な形態とされる給紙トレイ一体型リボンカセットを提供することを目的とする。【０００９】  また、本発明は、前述した給紙トレイ一体型リボンカセットを使用するのに好適なプリンタを提供することを目的とする。
【課題を解決するための手段】
【００１０】  前述した目的を達成するため、本発明の給紙トレイ一体型リボンカセットの特徴は、相互に連結された１対のボビン収納部のいずれか一方と給紙トレイとが、両者の大部分が離間している使用時の拡開状態と両者が接合する搬送時の閉止状態との間で開閉可能に枢着されている点にある。そして、このような構成を採用したことにより、使用しないときには閉止状態にすることにより、流通経路における搬送時にコンパクトにすることができる。【００１１】  また、本発明の給紙トレイ一体型リボンカセットの他の特徴は、いずれか一方のボビン収納部と給紙トレイとが両者の各端部同士において相互に枢着されている点にある。そして、このような構成を採用したことにより、閉止状態においてさらにコンパクトにすることができる。【００１２】  さらに、本発明の給紙トレイ一体型リボンカセットの他の特徴は、一方のボビン収納部と給紙トレイとが閉止状態にあるとき両者のうちの一方に形成されている被係止部材が他方に形成されている係止部材に係止され閉止状態が保持されるようになっている点にある。そして、このような構成を採用したことにより、閉止状態にあるときに不用意に拡開するのを防止することができる。【００１３】  さらにまた、本発明の給紙トレイ一体型リボンカセットの他の特徴は、閉止状態にある一方のボビン収納部と給紙トレイにおける接合部位の縁部には、閉止状態を拡開状態にするためにプリンタに設けられた突起の尖端部が嵌合されるように相互に対向する溝部がそれぞれ形成されている点にある。そして、このような構成を採用したことにより、ボビン収納部と給紙トレイの各溝部をプリンタに突設されている突起の尖端部に嵌合することにより、閉止状態にある一方のボビン収納部と給紙トレイを拡開状態に移行することができる。【００１４】  一方、本発明のプリンタの特徴は、閉止状態にある一方のボビン収納部と給紙トレイにおける接合部位の縁部に相互に対向するように溝部がそれぞれ形成されている給紙トレイ一体型リボンカセットが装着されるプリンタ本体を有するプリンタであって、前記プリンタ本体の一側壁には、前記１対のボビン収納部と前記給紙トレイとが拡開状態において挿入されうる開口と、閉止状態にある前記一方のボビン収納部と前記給紙トレイの前記各溝部に嵌合される尖端部を有し、前記被係止部材を前記係止部材から解離して前記一方のボビン収納部と前記給紙トレイを拡開状態に移行させる突起とが形成されている点にある。そして、このような構成を採用したことにより、突起の尖端部をリボンカセットの各溝部に嵌合してリボンカセットを突起方向に押動することにより、前記被係止部材を前記係止部材から解離して前記一方のボビン収納部と前記給紙トレイを拡開状態に移行させることができる。【００１５】  また、本発明の他のプリンタの特徴は、前記突起が、リボンカセットの装着方向に対し直交する方向において前記ボビン収納部または前記給紙トレイの回動中心を中心とする円弧状に彎曲されているので、拡開しつつある前記ボビン収納部および前記給紙トレイの前記溝部への嵌合を継続することができる。【００１６】
さらに、本発明の他のプリンタの特徴は、前記突起が、他のプリンタ本体における樹脂材料とともにアウトサート成形により形成されている点にある。そして、このような構成を採用したことにより、突起の形成のために格別の工程を必要としない。
【発明の効果】
【００１７】  本発明の給紙トレイ一体型リボンカセットによれば、一方のボビン収納部と給紙トレイを閉止状態に保持することにより、流通経路における搬送時にコンパクトな構成とされ、しかもプリンタにおける使用時には、一方のボビン収納部と給紙トレイを拡開状態にすることにより使用に適した良好な形態にすることができる。【００１８】  すなわち、本発明の給紙トレイ一体型リボンカセットは、相互に連結された１対のボビン収納部のいずれか一方と給紙トレイとが、両者の大部分が離間している使用時の拡開状態と両者が接合する搬送時の閉止状態との間で開閉可能に枢着されているので、使用しないときには閉止状態にすることにより、流通経路における搬送時にコンパクトにすることができ、搬送に要する経費を削減することができる。【００１９】  また、いずれか一方のボビン収納部と給紙トレイとを両者の各端部同士において相互に枢着したので、閉止状態においてさらにコンパクトにすることができ、搬送に要する経費をさらに削減することができる。【００２０】  さらに、一方のボビン収納部と給紙トレイとが閉止状態にあるとき両者のうちの一方に形成されている被係止部材が他方に形成されている係止部材に係止され閉止状態が保持されるようにしたので、閉止状態にあるときに不用意に拡開するのを防止することができ、取扱いを安定的にすることができる。さらにまた、閉止状態にある一方のボビン収納部と給紙トレイにおける接合部位の縁部に閉止状態を拡開状態にするためにプリンタに設けられた突起の尖端部が嵌合されるように相互に対向する溝部をそれぞれ形成したので、ボビン収納部と給紙トレイの各溝部をプリンタに突設されている突起の尖端部に嵌合することにより、閉止状態にある一方のボビン収納部と給紙トレイを拡開状態に移行することができるので、わざわざ拡開状態にすることなく、プリンタに装着して拡開状態にすることができる。【００２１】  一方、本発明のプリンタによれば、本発明の給紙トレイ一体型リボンカセットを良好に使用することができる。【００２２】  すなわち、プリンタ本体の一側壁には、給紙トレイ一体型リボンカセット構造の１対のボビン収納部と給紙トレイとが拡開状態において挿入されうる開口と、閉止状態にある前記一方のボビン収納部と前記給紙トレイの前記各溝部に嵌合される尖端部を有し、被係止部材を係止部材から解離して前記一方のボビン収納部と前記給紙トレイを拡開状態に移行させる突起とが形成されているので、突起の尖端部をリボンカセットの各溝部に嵌合してリボンカセットを突起方向に押動することにより、前記被係止部材を前記係止部材から解離して前記一方のボビン収納部と前記給紙トレイを拡開状態に移行させることができる。したがって、給紙トレイ一体型リボンカセット構造をわざわざ拡開状態にすることなく、プリンタに装着して拡開状態にすることができる。【００２３】  また、前記突起を、リボンカセットの装着方向に対し直交する方向において前記ボビン収納部または前記給紙トレイの回動中心を中心とする円弧状に彎曲すれば、拡開しつつある前記ボビン収納部および前記給紙トレイの前記溝部への嵌合を継続することができ、突起による拡開を安定的に継続することができる。���００２４】
さらに、突起を、他のプリンタ本体における樹脂材料とともにアウトサート成形により形成すれば、突起の形成のために格別の工程を必要としないので、突起を安価に製造できる。
【発明を実施するための最良の形態】
【００２５】  図１ないし図３は本発明の給紙トレイ一体型リボンカセットの実施形態を示すものであり、本実施形態の給紙トレイ一体型リボンカセット１は、１対の各円筒状のボビン収納部４Ａ，４Ｂを備えたリボンカセット３と給紙トレイ２０とを一体に形成して構成されている。【００２６】
前記リボンカセット３は、図３の展開図に詳示するように、両ボビン収納部４Ａ，４Ｂの上半部５Ａ，５Ｂを両端において両者に一体の板部６Ａと断面深皿状に屈曲したアーム部６Ｂとにより接続するとともに、各上半部５Ａ，５Ｂに着脱可能に嵌合される下半部７Ａ，７Ｂとにより構成されており、各ボビン収納部４Ａ，４Ｂ内には、図示しないインクリボンが装着されるボビン８Ａ，８Ｂが回転自在に収納されるようになっている。
【００２７】
前記両ボビン収納部４Ａ，４Ｂのボビン８Ａ，８Ｂに両端から支持されるインクリボン（図示せず）の中間部は、両ボビン収納部４Ａ，４Ｂの外部に露出されるようになっており、後述するプリンタに装着されると、このプリンタのサーマルヘッドに圧接されるようになっている。
【００２８】
前記給紙トレイ２０は、便宜上１枚のみ図示するカット紙Ｐが重積収納される箱型の給紙トレイ本体２１を有しており、この給紙トレイ本体２１は、長方形状の底壁２２と、この底壁２２の四方に立設されている側壁２３とにより構成されている。また、給紙トレイ本体２１内に収納される前記カット紙Ｐを保護するための用紙保護板２４が給紙トレイ本体２１に装着されるようになっている。さらに、前記給紙トレイ本体２１には、カット紙Ｐを１枚のみ供給するための２つの分離爪２５Ａ，２５Ｂが装着されるようになっている。
【００２９】  前記リボンカセット３の一方のボビン収納部４Ａの上部には、図２に詳示するように、左右に間隔を隔てて１対の突起１０Ａ，１０Ｂが形成されており、各突起１０Ａ，１０Ｂの一隅部には支軸１０ａ，１０ｂが相互に延長位置となるように突設されている。一方、前記各支軸１０ａ，１０ｂを中心とする円弧溝１１Ａ，１１Ｂが形成されており、各円弧溝１１Ａ，１１Ｂの外側薄肉部に形成された部位の各突起１０Ａ，１０Ｂには、各突起１０Ａ，１０Ｂの外側に突出する突部１１ａ，１１ｂが突設されている。また、前記各突起１０Ａ，１０Ｂにおける各円弧溝１１Ａ，１１Ｂの近傍の端部には、図３に示すように、前記各突部１１ａ，１１ｂより大きく突出するストッパ１５Ａ，１５Ｂが突設されている。【００３０】
前記両支軸１０ａ，１０ｂには、前記給紙トレイ本体２１が枢支されており、これにより、前記リボンカセット３と給紙トレイ２０とは開閉可能に枢着されている。
【００３１】
また、前記給紙トレイ本体２１の各側面には突起２７Ａ，２７Ｂが突設されており、各突起２７Ａ，２７Ｂは、前記リボンカセット３と給紙トレイ２０との開閉動作に伴ない、前記各突部１１ａ，１１ｂに摺接し、各突部１１ａ，１１ｂの形成されている薄肉部を弾性的に各円弧溝１１Ａ，１１Ｂ方向に押動させて、前記各突部１１ａ，１１ｂを乗り越えるようになっている。このようにして各突起２７Ａ，２７Ｂが各突部１１ａ，１１ｂを乗り越えることにより、開閉動作にクリック感が生じることになる。
【００３２】
また、前記各支軸１０ａ，１０ｂにより給紙トレイ２０を開閉するのではなく、前記各支軸１０ａ，１０ｂに代わる１本のシャフトをリボンカセット３と給紙トレイ２０とに挿通し、このシャフトを中心として前記リボンカセット３と給紙トレイ２０とを開閉するようにしてもよい。
【００３３】
さらに、前記リボンカセット３と前記給紙トレイ２０とを、図５に詳示するように、１対の樹脂製の蝶番３５Ａ，３５Ｂにより開閉可能に枢着するようにしてもよい。すなわち、前記各蝶番３５Ａ，３５Ｂは、ボビン収納部４Ａの軸線と平行に延在する中央部の可撓線３６Ａ，３６Ｂを中心として屈伸可能に形成されている。
【００３４】  そして、給紙トレイ一体型リボンカセット１における端部に位置する側のボビン収納部４Ａの上半部５Ａの上面には、左右に間隔を隔てて１対の蝶番収納部９Ａ，９Ｂが形成されており、各蝶番収納部９Ａ，９Ｂには、各蝶番３５Ａ，３５Ｂの可撓線３６Ａ，３６Ｂ以下の下半部３７Ａ，３７Ｂが収納され嵌合されている。【００３５】
一方、前記給紙トレイ２０の給紙トレイ本体２１の端部には、図６に詳示するように、左右に間隔を隔てて１対の蝶番収納用開口２６Ａ，２６Ｂが形成されており、各蝶番収納用開口２６Ａ，２６Ｂには、各蝶番３５Ａ，３５Ｂの可撓線３６Ａ，３６Ｂ以上の上半部３８Ａ，３８Ｂが挿入され嵌合されている。
【００３６】
したがって、前記リボンカセット３と給紙トレイ２０とは、両者の端部間において、１対の蝶番３５Ａ，３５Ｂの可撓線３６Ａ，３６Ｂを中心として開閉されることになる。
【００３７】
なお、前記リボンカセット３には、前述した突起１０Ａ，１０Ｂが突設されており、各突起１０Ａ，１０Ｂには、円弧溝１１Ａ，１１Ｂ、突部１１ａ，１１ｂ、ストッパ１５Ａ，１５Ｂが形成されている。一方、前記給紙トレイ本体２１の各側面には、突起１１Ａ，１１Ｂ（一方のみ図示）が突設されている。したがって、前述した実施形態と同様、クリック感が得られるとともに、拡開状態の角度が規正されるようになっている。
【００３８】
さらに、前記リボンカセット３と給紙トレイ２０とは、閉止状態を保持するためのロック機構が形成されている。すなわち、図７に詳示するように、前記リボンカセット３の一方のボビン収納部４Ａの一側部には、開口１３を有する係止部材１２が配設されている。一方、前記給紙トレイ本体２１の一側部には、前記リボンカセット３と給紙トレイ２０とが閉止状態にあるときに前記開口１３に嵌合する可撓性を有するフック状の被係止部材２８が突設されている。
【００３９】
そして、前記リボンカセット３と給紙トレイ２０とが閉止状態にあるとき、係止部材１２の開口１３に被係止部材２８が嵌合して、閉止状態が保持されるようになっている。
【００４０】
なお、係止部材１２と被係止部材２８の嵌合は、前記リボンカセット３と給紙トレイ２０とを拡開状態にするように設定値以上の力を加えると解除されるようになっている。
【００４１】
つぎに、閉止状態において、前記リボンカセット３の各ボビン収納部４Ａ，４Ｂの上部がそれぞれ対向する給紙トレイ本体２１の下面には、図８に詳示するように、凹部２９Ａ，２９Ｂがそれぞれ形成されている。そして、閉止状態において、各凹部２９Ａ，２９Ｂに各ボビン収納部４Ａ，４Ｂの上部が嵌合し、各ボビン収納部４Ａ，４Ｂの上部が用紙保護板２４を押し上げ、この結果、給紙トレイ本体２１内において、用紙Ｐ、用紙保護板２４および分離爪２５Ａ，２５Ｂが上方に移動し、給紙トレイ２０の高さ方向の寸法を各凹部２９Ａ，２９Ｂの深さ分小さくすることができる。したがって、前記リボンカセット３と給紙トレイ２０とが閉止状態にあるときの高さ方向の寸法をさらに小さくして、搬送時のスペースを小さくすることができる。
【００４２】  前記給紙トレイ一体型リボンカセット１が装着されるプリンタの実施形態が図９に示されている。【００４３】
このプリンタ４０のプリンタ本体４１は、間隔を隔てて立設された１対の側壁４２Ａ，４２Ｂを有しており、この１対の側壁４２Ａ，４２Ｂ間にプリンタ４０の各構成要件が配置されているが、これらの構成要件は本発明の要旨とは関連が薄いので、格別の説明は省略する。
【００４４】  前記一方の側壁４２Ｂには、前記給紙トレイ一体型リボンカセット１をプリンタ４０内に挿脱可能に挿入するための開口４３が形成されている。この開口４３は、前記給紙トレイ一体型リボンカセット１のリボンカセット３と給紙トレイ２０とを拡開状態において挿入するような形状に形成されている。【００４５】
すなわち、前記開口４３は、前記プリンタ本体４１の前記側壁４２Ｂの上縁４２ｂから斜め下方に延在するように形成された給紙トレイ２０の一部を挿入するための第１開口４３Ａを有している。この第１開口４３Ａは、前記給紙トレイ２０のリボンカセット３との接続側の一部を挿入するようになっており、前記給紙トレイ２０の自由側は、前記側壁４２Ｂの上縁４２ｂの上方に位置することになる。
【００４６】  また、前記第１開口４３Ａに連通する第２開口４３Ｂは、前記給紙トレイ一体型リボンカセット１のリボンカセット３において前記給紙トレイ本体２１と接続されているボビン収納部４Ａを挿入するためのものである。【００４７】  さらに、前記第２開口４３Ｂに連通する第３開口４３Ｃは、前記給紙トレイ一体型リボンカセット１のリボンカセット３において両ボビン収納部４Ａ，４Ｂを接続する断面深皿状に屈曲したアーム部６Ｂを挿入するためのものである。【００４８】  さらにまた、前記第３開口４３Ｃに連通する第４開口４３Ｄは、前記給紙トレイ一体型リボンカセット１のリボンカセット３において前記アーム部６Ｂに接続されているボビン収納部４Ｂを挿入するためのものである。【００４９】  前述したように前記開口４３は、前記リボンカセット３と給紙トレイ２０とが拡開状態とされている給紙トレイ一体型リボンカセット１を挿入するため、第１開口４３Ａ〜第４開口４３Ｄにより全体として屈曲した形状とされている。【００５０】  一方、前記給紙トレイ一体型リボンカセット１において、前記プリンタ４０の側壁４２Ｂに形成されている前記開口４３に挿入される先頭側の前記リボンカセット３の一方のボビン収納部４Ｂの上半部５Ｂと、前記給紙トレイ２０の給紙トレイ本体２１とが閉止状態にあるときに、ボビン収納部４Ｂの上半部５Ｂと、前記給紙トレイ２０の給紙トレイ本体２１との接合部位の縁部には、図１に詳示するように、相互に対向するコ字状の溝部１４，３０がそれぞれ形成されている。【００５１】
図９に戻って、前記プリンタ４０の側壁４２Ｂの外面には、図１に示すように閉止状態にあるボビン収納部４Ｂと給紙トレイ本体２１の各溝部１４，３０に嵌合しうる尖端部４５を有する突起４４が側壁４２Ｂに突設されている他の部品とともにアウトサート成形により突設されている。
【００５２】  前記突起４４は、図１０に詳示するように、側面視ほぼ直角三角形状をなしており、突起４４の斜面４６は上向きに突出するように形成されている。そして、前記尖端部４５は、前記突起４４の上面４７の先端部を下向きに傾斜させてなる緩やかな角度の緩斜面４８と前記斜面４６とが交差することにより形成されている。このうち、前記斜面４６が前記緩斜面４８に比して大きな寸法を有していることにより、閉止状態にあるボビン収納部４Ｂと給紙トレイ本体２１が突起４４に圧接して拡開される際には、前記斜面４６に摺接するボビン収納部４Ｂが主に拡開されることになる。このため、前記突起４４は、前記プリンタ４０に対する前記給紙トレイ一体型リボンカセット１の装着方向に対し直交する上下方向において前記ボビン収納部４Ｂが拡開する際の回動中心である前記両支軸１０ａ，１０ｂを中心とする円弧状に彎曲するように形成されている。【００５３】  なお、前記プリンタ４０の他方の側壁４２Ａの内面には、装着された前記給紙トレイ一体型リボンカセット１の前記リボンカセット３の各ボビン収納部４Ａ，４Ｂ内に収納されているボビン８Ａ，８Ｂに嵌合しうる駆動部４９Ａ，４９Ｂが突設されている。【００５４】
つぎに、前述した構成からなる本実施形態の作用について説明する。
【００５５】  給紙トレイ一体型リボンカセット１がプリンタ４０に装着されていない状態においては、リボンカセット３と給紙トレイ２０とを閉止状態にしておけば、スペース的に小さくすることができる。このリボンカセット３と給紙トレイ２０との閉止状態においては、リボンカセット３のボビン収納部４Ｂと給紙トレイ２０がほぼ接合した状態に位置している。【００５６】
そして、この閉止状態においては、リボンカセット３の係止部材１２に給紙トレイ２０の被係止部材２８が係合し、閉止状態が保持されるようになっている。
【００５７】  このような閉止状態にある給紙トレイ一体型リボンカセット１をプリンタ４０に装着するには、プリンタ４０の一側壁４２Ｂの外面に突設されている突起４４の尖端部４５に、前記ボビン収納部４Ｂの上半部５Ｂと、前記給紙トレイ２０の給紙トレイ本体２１との接合部位の縁部にそれぞれ形成されているコ字状の溝部１４，３０を当接し、突起４４に向けて給紙トレイ一体型リボンカセット構造１を押しつける。すると、突起４４の斜面４６に沿ってボビン収納部４Ｂが両支軸１０ａ，１０ｂを中心として回動するようにして給紙トレイ２０から離間することになり、最終的にリボンカセット３と給紙トレイ２０とが拡開状態になる。【００５８】  なお、このとき、リボンカセット３の係止部材１２と、給紙トレイ２０の被係止部材２８の嵌合は、前記リボンカセット３と給紙トレイ２０とを拡開状態にするように給紙トレイ一体型リボンカセット１を突起４４に押圧することにより解除される。【００５９】  前述したように、リボンカセット３と給紙トレイ２０とが拡開状態になるので、給紙トレイ一体型リボンカセット１は、前記プリンタ４０の側壁４２Ｂの開口４３を通過してプリンタ４０に装着されることになる。【００６０】  このように本実施形態によれば、閉止状態にある給紙トレイ一体型リボンカセット１のリボンカセット３と給紙トレイ２０の両溝部１４，３０を突起４４に押圧することにより、リボンカセット３と給紙トレイ２０を拡開してプリンタ４０における使用状態にすることができる。【００６１】
なお、本発明は、前述した実施の形態に限定されるものではなく、必要に応じて種々の変更が可能である。
【図面の簡単な説明】
【００６２】
【図１】本発明に係る給紙トレイ一体型リボンカセットの実施形態を示す斜視図で、リボンカセットと給紙トレイとが閉止状態にある斜視図
【図２】図１においてリボンカセットと給紙トレイとが拡開状態にある斜視図
【図３】図１の分解図
【図４】Ａは図１における開閉の要部の拡開状態を示す側面図、ＢはＡの閉止状態を示す図
【図５】図１のリボンカセットと給紙トレイの開閉構造の他の実施形態を示す斜視図
【図６】図５の他方向からの斜視図
【図７】Ａは図１のリボンカセットと給紙トレイのロック機構を示す縦断面図、ＢはＡの要部の拡大図
【図８】Ａは図１のリボンカセットと給紙トレイの拡開状態を示す縦断面図、ＢはＡの閉止状態を示す縦断面図
【図９】本発明に係るプリンタの実施形態を示す斜視図
【図１０】Ａは図９の側壁に突設されている突起を示す正面図、ＢはＡの下方からの斜視図、Ｃは突起の側面図
【符号の説明】
【００６３】  １  給紙トレイ一体型リボンカセット  ３  リボンカセット  ４Ａ，４Ｂ  ボビン収納部  ５Ａ，５Ｂ  ボビン収納部の上半部  ７Ａ，７Ｂ  ボビン収納部の下半部  ８Ａ，８Ｂ  ボビン  ９Ａ，９Ｂ  蝶番収納部  １０Ａ，１０Ｂ  突起  １０ａ，１０ｂ  支軸  １１Ａ，１１Ｂ  円弧溝  １１ａ，１１ｂ  突部  １２  係止部材  １４  溝部  １５Ａ，１５Ｂ  ストッパ  ２０  給紙トレイ  ２１  給紙トレイ本体  ２７Ａ，２７Ｂ  突起  ２８  被係止部材  ３０  溝部  ３５Ａ，３５Ｂ  蝶番  ３６Ａ，３６Ｂ  可撓線  ４０  プリンタ  ４１  プリンタ本体  ４２Ａ，４２Ｂ  側壁  ４３  開口  ４４  突起  ４５  尖端部  ４６  斜面  ４８  緩斜面  ４９Ａ，４９Ｂ  駆動部
【図１】
0005049714.tif 000002
【図２】
0005049714.tif 000003
【図３】
0005049714.tif 000004
【図４】
0005049714.tif 000005
【図５】
0005049714.tif 000006
【図６】
0005049714.tif 000007
【図７】
0005049714.tif 000008
【図８】
0005049714.tif 000009
【図９】
0005049714.tif 000010
【図１０】
0005049714.tif 000011